(57)【要約】【課題】コネクタ接続体のハウジングからより外れにくくすることの可能な保持金具ならびに当該保持金具を用いたコネクタ接続体およびコネクタを得る。【解決手段】保持金具４０は、側板部４１を有した本体部と、ハウジング２１の外方に突出して回路基板に固定される取付片部４２ａと、側板部４１から折曲されてハウジング２１内に食い込むアンカー部４５と、を備える。そして、アンカー部４５に、当該アンカー部４５からハウジング２１の高さ方向Ｚに折曲される引っ掛かり部４８を設ける。【選択図】図５
2015130363.tif 000002
【特許請求の範囲】
【請求項１】
コネクタ接続体のハウジングに埋設される保持金具であって、側板部を有した本体部と、前記ハウジングの外方に突出して回路基板に固定される取付片部と、前記側板部から折曲されて当該ハウジング内に食い込むアンカー部と、を備えた保持金具において、
前記アンカー部に、当該アンカー部から前記ハウジングの高さ方向に折曲される引っ掛かり部を設けたことを特徴とする保持金具。
【請求項２】
前記本体部に底板部を設けたことを特徴とする請求項１に記載の保持金具。
【請求項３】
前記底板部は、前記側板部から前記ハウジングの長手方向に向けて略Ｌ字状に折曲されたことを特徴とする請求項２に記載の保持金具。
【請求項４】
前記底板部から前記ハウジングの外壁天面に向けて折曲される係止片部を設けたことを特徴とする請求項２または請求項３に記載の保持金具。
【請求項５】
前記側板部または前記底板部の少なくともいずれか一方が前記ハウジングの外壁側面に露出して配置されることを特徴とする請求項２〜４のうち何れか１項に記載の保持金具。
【請求項６】
前記側板部は、前記ハウジングの外壁側面に露出して配置され、
前記側板部の長手方向両端部上側から折曲されて前記アンカー部が設けられるとともに、当該一対のアンカー部から前記ハウジングの外壁下面に向けて前記引っ掛かり部が折曲形成されることを特徴とする請求項１〜５のうち何れか１項に記載の保持金具。
【請求項７】
前記引っ掛かり部を前記アンカー部の先端に設けたことを特徴とする請求項１〜６のうち何れか１項に記載の保持金具。
【請求項８】
前記引っ掛かり部を、前記係止片部に係止するようにしたことを特徴とする請求項４に記載の保持金具。
【請求項９】
前記引っ掛かり部に、前記アンカー部と略平行に延びる第１の爪部を延設するとともに、前記係止片部の先端側であって少なくとも前記第１の爪部を前記ハウジングの高さ方向で越える位置に、前記アンカー部と略平行に延びる第２の爪部を延設し、
前記第１の爪部と前記第２の爪部とを対向配置させたことを特徴とする請求項４に記載の保持金具。
【請求項１０】
前記第１の爪部と前記第２の爪部との間に隙間を設け、前記第１の爪部と前記第２の爪部との間に前記ハウジング内の樹脂を挟み込ませるようにしたことを特徴とする請求項９に記載の保持金具。
【請求項１１】
前記第１の爪部と前記第２の爪部とを接触させて設け、前記第１の爪部と前記第２の爪部とを係止させるようにしたことを特徴とする請求項９に記載の保持金具。
【請求項１２】
前記保持金具はインサート成形によりハウジングに設けられていることを特徴とする請求項１〜１１のうち何れか１項に記載の保持金具。
【請求項１３】
請求項１〜１２のうち何れか１項に記載の前記保持金具を用いたコネクタ接続体。
【請求項１４】
請求項１３に記載の前記コネクタ接続体を、少なくとも一方のコネクタ接続体に用いたコネクタ。
【発明の詳細な説明】
【技術分野】
【０００１】
本発明は、保持金具ならびに当該保持金具を用いたコネクタ接続体およびコネクタに関する。
【背景技術】
【０００２】
従来より、ソケット（一方のコネクタ接続体）ハウジングの周壁部に取付片部を有した保持金具を埋設し、この保持金具の取付片部を回路基板に半田付け等により固定することで、ソケットのコンタクト（端子）を回路基板に固定することと相俟って、ソケットと回路基板との結合強度を高めれるようにしたコネクタが知られている（例えば特許文献１参照）。
【０００３】
特許文献１の保持金具は、側板部と底板部とを有した略Ｌ字状の本体部を備えており、側板部から折曲されてハウジング内に食い込むアンカー部を設けることで、ハウジングの剛性や強度を向上できるようにしている。
【先行技術文献】
【特許文献】
【０００４】
【特許文献１】特開２００８−２７００９９号公報
【発明の概要】
【発明が解決しようとする課題】
【０００５】
しかしながら、上記従来の保持金具にあっては、ハウジング内に食い込むアンカー部がハウジングの高さ方向に対して略垂直に折曲されているだけなので、外力等によって保持金具がハウジングから外れてしまう恐れがあった。
【０００６】
そこで、本発明は、コネクタ接続体のハウジングからより外れにくくすることの可能な保持金具ならびに当該保持金具を用いたコネクタ接続体およびコネクタを得ることを目的とする。
【課題を解決するための手段】
【０００７】
上記目的を達成するために、本発明にあっては、コネクタ接続体のハウジングに埋設される保持金具であって、側板部を有した本体部と、前記ハウジングの外方に突出して回路基板に固定される取付片部と、前記側板部から折曲されて当該ハウジング内に食い込むアンカー部と、を備えた保持金具において、前記アンカー部に、当該アンカー部から前記ハウジングの高さ方向に折曲される引っ掛かり部を設けたことを特徴とする。
【発明の効果】
【０００８】
本発明によれば、保持金具がハウジングから外れてしまうのをより抑制することができる。
【０００９】
すなわち、本発明によれば、外力等が入力されたとしても、コネクタ接続体のハウジングからより外れにくくすることの可能な保持金具ならびに当該保持金具を用いたコネクタ接続体およびコネクタを得ることができる。
【図面の簡単な説明】
【００１０】
【図１】本発明の第１実施形態にかかるコネクタのソケット全体を斜め上方から見た斜視図である。
【図２】本発明の第１実施形態にかかるコネクタのヘッダ全体を斜め上方から見た斜視図である。
【図３】本発明の第１実施形態にかかるコネクタの結合状態を図１中I−I線に対応する部分で断面した断面図である。
【図４】図１に示すソケットハウジングに埋設される保持金具を示した図であり、（ａ）は斜視図、（ｂ）は側面図である。
【図５】図１に示す保持金具のソケットハウジングへの取付状態を透視して示した斜視図である。
【図６】本発明の第２実施形態にかかるソケットハウジングに埋設される保持金具を示した図であり、（ａ）は斜視図、（ｂ）は側面図である。
【図７】図６に示す保持金具のソケットハウジングへの取付状態を透視して示した斜視図である。
【図８】従来の保持金具のソケットハウジングへの取付状態を透視して示した斜視図である。
【図９】本発明の第３実施形態にかかるコネクタのソケット全体を斜め上方から見た斜視図である。
【図１０】図９に示す保持金具のソケットハウジングへの取付状態を透視して示した斜視図である。
【図１１】図１０の側面図である。
【図１２】本発明の第４実施形態にかかる保持金具のソケットハウジングへの取付状態を透視して示した斜視図である。
【図１３】図１２の側面図である。
【図１４】本発明の第３実施形態にかかるコネクタの変形例を示した図である。
【図１５】図１４に示す保持金具のソケットハウジングへの取付状態を透視して示した斜視図である。
【発明を実施するための形態】
【００１１】
以下、本発明の実施形態について図面を参照しつつ詳細に説明する。
［第１実施形態］
図１〜図５は、本発明にかかるコネクタ１の第１実施形態を示しており、本実施形態のコネクタ１は、図１および図２に示すように、相互に嵌合されるソケット２とヘッダ３とを備えている。なお、本実施形態を説明するにあたって、同図に示すように、図中Ｘ方向を幅方向、Ｙ方向を長手方向、Ｚ方向を上下方向（高さ方向）として説明するものとする。
【００１２】
ソケット２は、図１に示すように、合成樹脂などの絶縁材料によって形成された細長い矩形状のソケットハウジング２１と、このソケットハウジング２１の対向した長辺に沿って所定ピッチをもって装着される複数のコンタクト２２と、を備えている。
【００１３】
ソケットハウジング２１は、その周縁部に沿って略矩形環状に連続的に形成される周壁部２６と、中央部において周壁部２６から所定間隔をあけて形成される略矩形状の島部２７とを備えている。そして、これら周壁部２６と島部２７との間にヘッダ３を嵌合するための凹部２３が形成されている。
【００１４】
コンタクト２２は、本実施形態では凹部２３の設けられたソケット２の幅方向両側に一対設けられており、この一対のコンタクト２２がそれぞれソケット２の長手方向に複数配列されることで、ソケット側端子群２２Ｇを構成している。
【００１５】
コンタクト２２は、導電性を有する細長い金属などの弾性材料を曲げ加工することにより形成されている。図３に示すように、コンタクト２２は、ソケットハウジング２１の幅方向外方に突出する端子部２２１と、端子部２２１の内側端部から上方に延長してソケットハウジング２１に保持される被保持部２２２と、を備える。また、被保持部２２２の上端部からソケットハウジング２１の内方に向かって湾曲しつつ下方に延長される第１の接触部２２３と、第１の接触部２２３の下端部から更にソケットハウジング２１の内方に向けて延長される連結部２２４と、を備える。また、連結部２２４の内側端部から上方に立ち上がり、且つその先端部が第１の接触部２２３に対向する方向に湾曲して突出される第２の接触部２２５を備えている。
【００１６】
そして、第１の接触部２２３と第２の接触部２２５とは、互いに対向する方向の弾発力が備わっており、これら第１の接触部２２３と第２の接触部２２５とが上述したソケットハウジング２１の凹部２３内に露出して配置される。また、端子部２２１がソケットハウジング２１の下端に沿って外方に突出して配置される。このようにソケットハウジング２１から突出した端子部２２１は、図示省略した一方の配線基板に実装される。
【００１７】
一方、ヘッダ３は、同様に合成樹脂などの絶縁材料によって形成された細長い矩形状のヘッダハウジング３１と、このヘッダハウジング３１の対向する長辺に沿ってコンタクト２２のピッチと等しいピッチをもって装着される複数のポスト３２と、を備えている。
【００１８】
ヘッダハウジング３１は、その周縁部に沿って略矩形環状に連続的に形成される周壁部３３を備えており、この周壁部３３の内方に略平坦な底壁部３４が形成されている。
【００１９】
そして、周壁部３３の設けられた幅方向両側にポスト２２が一対設けられており、この一対のポスト３２がそれぞれヘッダ３の長手方向に複数配列されることで、ヘッダ側端子群３２Ｇを構成している。
【００２０】
ポスト３２は、コンタクト２２と同様に導電性を有する細長い金属などの弾性材料を曲げ加工することにより形成されている。図３にも示すように、ポスト３２は、ヘッダハウジング３１の外側面に露出する第１の接触部３２１と、第１の接触部３２１の上端部から下方に向かってＵ字状に折曲される第２の接触部３２２と、を備える。また、第２の接触部３２２からヘッダハウジング３１の幅方向外方に向かって突出する端子部３２３を備えている。
【００２１】
そして、Ｕ字状に折曲された第１の接触部３２１と第２の接触部３２２とは、ヘッダハウジング３１の周壁部３３を上方から挟持し、この状態で端子部３２３がヘッダハウジング３１の下端に沿って外方に突出して配置される。このようにヘッダハウジング３１から突出した端子部３２３は、図示省略した他方の配線基板に実装される。
【００２２】
このようにソケット２とヘッダ３とを備えたコネクタ１は、図３に示すように、ポスト３２がそれぞれ取り付けられた周壁部３３を、コンタクト２２がそれぞれ取り付けられた凹部２３に差し込む。これにより、ポスト３２の第１の接触部３２１がコンタクト２２の第１の接触部２２３に接離自在に圧接されるとともに、ポスト３２の第２の接触部３２２がコンタクト２２の第２の接触部２２５に接離自在に圧接される。この状態で、コンタクト２２とポスト３２とは電気的に接続されて、一方の配線基板と他方の配線基板とを導通させることができる。
【００２３】
このとき、図３に示すように、コンタクト２２の第１の接触部２２３とポスト３２の第１の接触部３２１とには、互いに相手側の端子に係合してソケット２とヘッダ３との結合状態を保持するロック部１０が設けられている。
【００２４】
したがって、ヘッダ３をソケット２に嵌合させる際には、ポスト３２の第１および第２の接触部３２１、３２２が、コンタクト２２の第１および第２の接触部２２３、２２５を弾性力に抗して押し開きつつ挿入され、ロック部１０がロックされる。そして、ロック部１０の段差面どうしが図示するように互いに係合されることによって、ソケット２とヘッダ３との結合状態が保持される。
【００２５】
一方、ソケット２とヘッダ３とを離脱させる際には、これら両者を引き剥がし方向に抜去することにより、ロック部１０の段差面どうしが相対摺動しつつ、コンタクト２２の第１および第２の接触部２２３、２２５を押し開いてロック部１０の係合が解除される。これにより、ソケット２とヘッダ３とを分離させることができる。
【００２６】
ここで、図１に示すように、ソケットハウジング（ハウジング）２１の長手方向の両端部には保持金具４０が取り付けられている。保持金具４０は外方に突出する取付片部４２ａを有しており、この取付片部４２ａを一方の回路基板に半田付けする。これにより、コンタクト２２の端子部２２１が半田付けされたことと相俟って、ソケット２が一方の回路基板に対して強固に結合されるようになっている。
【００２７】
保持金具４０は、図４（ａ）、（ｂ）に示すように、所定厚さの金属板をプレス成形して形成されたものである。そして、本体部として、ソケットハウジング２１の幅方向に延在する側板部（本体部）４１と、この側板部４１の両端部下側をソケットハウジング１１の長手方向中央側に向かって略Ｌ字状に折曲した底板部（本体部）４２と、を備えて概略構成されている。また、底板部４２の両端部をソケットハウジング２１の幅方向両側から突出させて回路基板への取付片部４２ａが形成されている。
【００２８】
図５は、保持金具４０のソケットハウジング２１への取付状態を透視して示した斜視図であり、図５に示すように、ソケットハウジング２１を型成形する際に、保持金具４０はソケットハウジング２１の周壁部２６にインサート成形されるようになっている。このとき、保持金具４０は、本体部がソケットハウジング２１の周壁部２６の外壁面に沿って露出した状態で、ソケットハウジング２１に取り付けられている。
【００２９】
すなわち、側板部４１の外側面４１ｂがソケットハウジング２１の長手方向の端面（外壁側面）２１ｂに沿って当該端面２１ｂと略面一となる状態で露出するとともに、側板部４１の天面４１ａがソケットハウジング２１の外壁天面２１ａに沿って露出している。また、図５に示すように、底板部４２の下面４２ｃがソケットハウジング２１の外壁下面２１ｃに沿って露出している。
【００３０】
そして、回路基板に半田付けされる取付片部４２ａが、ソケットハウジング２１の幅方向両端面２１ｄから外方に所要量突出して配置される。
【００３１】
ここで、保持金具４０は、ソケットハウジング２１の周壁部２６の内部に食い込むアンカー部４５を備えている。アンカー部４５は、側板部４１からソケットハウジング２１の上下方向（高さ方向）に対して略垂直に折曲されている。本実施形態では、側板部４１の両端部上側をソケットハウジング２１の長手方向中央側に向けて略直角に折曲させることで、一対のアンカー部４５をそれぞれソケットハウジング２１の長辺の周壁部２６内に食い込ませるようにしている。
【００３２】
また、図５に示すように、底板部４２の先端側には、一対の底板部４２からソケットハウジング２１の外壁天面２１ａに向けて折曲される係止片部４７が形成されている。そして、これら係止片部４７とアンカー部４５とは、双方とも、保持金具４０をソケットハウジング２１に対してインサート同時成形した際に、ソケットハウジング２１内に食い込んで埋設されるようになっている。ソケットハウジング２１内に埋設された係止片部４７によって、保持金具４０全体のソケットハウジング２１に対する相対移動を規制することができる。
【００３３】
ところで、図８に示すように、従来の保持金具１４０が用いられた構成では、ソケットハウジング１２１内に食い込むアンカー部１４５が上下方向（高さ方向）に対して略垂直に折曲されているだけなので、外力によって保持金具１４０が外れてしまう恐れがあった。すなわち、ソケット１０２に強い衝撃が加わった場合に、保持金具１４０は本体部の屈曲部１４３を支点としてソケットハウジング１２１の長手方向外側方向に回動してしまい、アンカー部１４５がソケットハウジング１２１から抜けてしまう不具合があった。特に、ソケットハウジング１２１の天面１２１ａに保持金具１４０を露出させる構成では、作業者が手指などで保持金具１４０の天面１４１ａを掴み持ち、側板部１４１を押し倒す方向に不意な力が作用した場合に、保持金具４０（側板部４１）が回動してしまう恐れがある。
【００３４】
そこで、本実施形態では、図５に示すように、保持金具４０のアンカー部４５に、当該アンカー部４５からソケットハウジング２１の上下方向（高さ方向）と略平行に折曲される引っ掛かり部４８を設けるようにしている。
【００３５】
引っ掛かり部４８は、本実施形態では一対のアンカー部４５のそれぞれの先端側を、ソケットハウジング２１の外壁下面２１ｃに向けて折曲成形することにより形成されている。そして、この引っ掛かり部４８にあっても、ソケットハウジング２１内に埋設された状態でインサート成形されている。
【００３６】
このように、本実施形態の保持金具４０によれば、外力等によって側板部４１が外側に倒れる方向に力が作用した場合にも、引っ掛かり部４８がインサート成形されたソケットハウジング２１内の樹脂に引っ掛かって係止される。よって、保持金具４０がソケットハウジング２１から外れてしまうのを抑制することができるようになる。
【００３７】
以上、詳細に亘って説明してきたように、本実施形態では、ソケットハウジング２１（ハウジング）内に食い込むアンカー部４５に、ソケットハウジング２１の上下方向（高さ方向）と略平行に折曲される引っ掛かり部４８を設けるようにしている。そのため、側板部４１が外側に倒れる方向に力が作用した場合にも、引っ掛かり部４８によって保持金具４０が係止され、ソケットハウジング２１から保持金具４０が外れてしまうのを抑制することができる。
【００３８】
すなわち、本実施形態によれば、外力等が入力されたとしても、ソケットハウジング２１からより外れにくくすることの可能な保持金具４０ならびに当該保持金具４０を用いたソケット２（コネクタ接続体）およびコネクタ１を得ることができる。
【００３９】
また、本実施形態では、側板部４１がソケットハウジング２１の外壁側面２１ｂと外壁天面２１ａとに露出して配置されている。そして、側板部４１の長手方向両端部上側から折曲されて前記アンカー部４５が設けられるとともに、当該一対のアンカー部４５からソケットハウジング２１の外壁下面２１ｃに向けて前記引っ掛かり部４８が折曲形成されている。よって、作業者が手指などで保持金具４０の露出した天面４１ａを掴み持ち、側板部４１を押し倒す方向に不意な力が作用した場合にも、天面２１ａの近傍に位置する引っ掛かり部４８が係止され、保持金具４０が屈曲部４３を支点として回動してしまうのを抑制できる。これにより、ソケットハウジング２１に対するアンカー部４５の抜けをより確実に阻止することができる。
【００４０】
また、本実施形態では、引っ掛かり部４８をアンカー部４５の先端に設けている。すなわち、側板部４１から離れた位置に引っ掛かり部４８を設けている。そのため、側板部４１を押し倒す方向に不意な力が作用した場合に、保持金具４０が屈曲部４３を支点として回動してしまうのをより一層抑制できる。
【００４１】
さらにまた、本実施形態では、ソケットハウジング２１に食い込むアンカー部４５を側板部４１の長手方向両端部に設けている。そのため、保持金具４０の自由端領域を減らして、保持金具４０をソケットハウジング２１からより外れにくくすることができるという利点がある。
［第２実施形態］
図６および図７は、本発明の第２実施形態を示した図であり、上記第１実施形態と同一構成部分に同一符号を付して重複する説明を省略して述べるものとする。
【００４２】
本実施形態の保持金具４０Ａが上記第１実施形態と主に異なる点は、アンカー部４５Ａをソケットハウジング２１の長手方向中央側に向けて延長形成し、引っ掛かり部４８を係止片部４７に引っ掛けるようにしたことにある。
【００４３】
すなわち、保持金具４０Ａは、ソケットハウジング２１の外壁側面２１ｂと外壁天面２１ａに露出して配置される側板部４１と、この側板部４１の長手方向両端部下側から折曲されてソケットハウジング２１の外壁下面２１ｃに露出する底板部４２とを備えている。そして、この一対の底板部４２には、当該一対の底板部４２からソケットハウジング２１の外壁天面２１ａに向けて折曲される係止片部４７が設けられており、この係止片部４７に一対の引っ掛かり部４８をそれぞれ係止するようにしている。
【００４４】
以上の構成により、本実施形態の保持金具４０Ａによれば、上記第１実施形態と同様の作用効果を奏することができる。
【００４５】
すなわち、本実施形態によれば、外力等が入力されたとしても、ソケットハウジング２１からより外れにくくすることの可能な保持金具４０Ａならびに当該保持金具４０Ａを用いたソケット２（コネクタ接続体）およびコネクタ１を得ることができる。
【００４６】
また、本実施形態では、引っ掛かり部４８を係止片部４７に係止するようにしている。そのため、側板部４１が外側に倒れる方向に力が作用した場合にも、引っ掛かり部４８が係止片部４７に係止されるので、保持金具４０が屈曲部４３を支点として回動してしまうのを抑制でき、ソケットハウジング２１からアンカー部４５が外れてしまうのを抑制できる。また、上記第１実施形態に対して、保持金具４０Ａの部材同士（引っ掛かり部４８、係止片部４７）を係止させる構成のため、壁（ソケットハウジング２１）の強度を高めることができる。よって、上記第１実施形態よりも強い外力に対して、保持金具４０（側板部４１）の回動を抑制できるという利点がある。
［第３実施形態］
図９〜図１１は、本発明の第３実施形態を示した図であり、上記第１および第２実施形態と同一構成部分に同一符号を付して重複する説明を省略して述べるものとする。
【００４７】
本実施形態の保持金具４０Ｂが上記第１および第２実施形態と主に異なる点は、引っ掛かり部４８の先端側と係止片部４７の先端側とに、第１の爪部４８ａと第２の爪部４７ａとをそれぞれ設け、これら一対の爪部４７ａ、４８ａどうしを対向配置させたことにある。
【００４８】
具体的には、図１０および図１１に示すように、本実施形態の保持金具４０Ｂは、一対のアンカー部４５の先端部４５ａからそれぞれ下方に向かって引っ掛かり部４８が延長形成されている。そして、この一対の引っ掛かり部４８の先端側（図１１中下側）に、ソケット２の長手方向Ｙ外側に向かってアンカー部４５と略平行に延びる第１の爪部４８ａがそれぞれ延設されている。その一方で、保持金具４０Ｂには、一対の底板部４２からそれぞれ上方に向かって折曲形成されて係止片部４７が設けられている。そして、この一対の係止片部４７の先端側（図１１中上側）に、ソケット２の長手方向Ｙ中央側に向かってアンカー部４５と略平行に延びる第２の爪部４７ａがそれぞれ延設されている。
【００４９】
したがって、第１の爪部４８ａと第２の爪部４７ａとは、アンカー部４５の延在方向となるソケット２の長手方向Ｙに沿って互いに反対方向に延在することとなる。そして、本実施形態では、第２の爪部４７ａを第１の爪部４８ａと引っ掛かり部４８とで囲まれた空間に入り込ませるとともに、これら第１の爪部４８ａと第２の爪部４７ａとを、僅かな隙間をもって対向配置させるようにしている。このような構成により、保持金具４０Ｂがソケットハウジング２１にインサート成形されることによって、第１の爪部４８ａと第２の爪部４７ａとの間にはソケットハウジング２１内の樹脂が挟まることとなる。
【００５０】
また、本実施形態では、第１の爪部４８ａと第２の爪部４７ａとを対向させる際に、第２の爪部４７ａを、係止片部４７の先端側であって少なくとも第１の爪部４８ａをソケットハウジング２１の高さ方向Ｚで越える位置に設けるようにしている。こうすることで、底板部４２側の第２の爪部４７ａを、アンカー部４５側の第１の爪部４８ａに対して常に高さ方向Ｚの上側に位置させることができる。よって、保持金具４０Ｂが屈曲部４３を支点として回動してしまった場合に、第１の爪部４８ａを第２の爪部４７ａ側に係止させることができるようになり、保持金具４０Ｂがソケットハウジング２１から外れてしまうのをより抑制することができる。
【００５１】
また、本実施形態では、ソケットハウジング２１内に食い込むアンカー部４５の壁面に、ソケットハウジング２１内の樹脂が係合する係合部５０を設けるようにしている。具体的には、図１０および図１１に示すように、本実施形態では係合部５０がアンカー部４５の外壁面４５ｂと内壁面４５ｃとを貫通する貫通穴５０ａとして形成されている。
【００５２】
貫通穴５０ａは、本実施形態では、アンカー部４５の長手方向Ｙに沿って延びる帯板状の長穴とこの長穴の長手方向Ｙ外側の一端から下側に向けて延設された帯板状の短穴とによる略Ｌ字状の貫通穴５０ａとして形成されている。このような貫通穴５０ａによって、アンカー部４５がソケットハウジング２１にインサート成形された際に、ソケットハウジング２１内の樹脂が貫通穴５０ａ内に介在して貫通穴５０ａに係合されることとなる。したがって、側板部４１が外側に倒れる方向に力が作用した場合に、アンカー部４５は貫通穴５０ａ内の樹脂が引っ掛かって係止されるようになり、これにより保持金具４０Ｂがソケットハウジング２１から外れてしまうのをさらに抑制することができる。
【００５３】
以上の構成により、本実施形態の保持金具４０Ｂによれば、上記第１実施形態と同様の作用効果を奏することができる。
【００５４】
すなわち、本実施形態によれば、外力等が入力されたとしても、ソケットハウジング２１からより外れにくくすることの可能な保持金具４０Ｂならびに当該保持金具４０Ｂを用いたソケット２（コネクタ接続体）およびコネクタ１を得ることができる。
【００５５】
また、本実施形態では、引っ掛かり部４８にアンカー部４５と略平行に延びる第１の爪部４８ａを延設している。その一方で、係止片部４７の先端側であって少なくとも第１の爪部４８ａをソケットハウジング２１の高さ方向Ｚで越える位置に、アンカー部４５と略平行に延びる第２の爪部４７ａを延設している。そして、これら第１の爪部４８ａと第２の爪部４７ａとを対向配置させたので、保持金具４０Ｂが屈曲部４３を支点として回動してしまった場合に、これら第１の爪部４８ａと第２の爪部４７ａとを係止させることができるようになる。したがって、保持金具４０Ｂのそれ以上の回動を抑制できるようになり、保持金具４０Ｂがソケットハウジング２１から外れてしまうのをより抑制できるとともに、ソケットハウジング２１のそれ以上の破損を食い止めることができるという利点がある。
【００５６】
ここで、上記第２実施形態では、引っ掛かり部４８が係止片部４７に係止されているのであるが、保持金具４０Ａに入力される力の作用方向によっては、保持金具４０Ａの回動に伴い引っ掛かり部４８が係止片部４７から外れてしまう恐れがある。この点、本実施形態では、保持金具４０Ｂが外れる方向の力の作用方向に対してより広く対応することができるようになるので、より好適である。
【００５７】
また、本実施形態では、第１の爪部４８ａと第２の爪部４７ａとの間に隙間を設け、これら第１の爪部４８ａと第２の爪部４７ａとの間にソケットハウジング２１内の樹脂を挟み込ませるようにしている。そのため、保持金具４０Ｂが外れる方向に力が作用した場合に、ソケットハウジング内の樹脂が第１の爪部４８ａと第２の爪部４７ａとの間に引っ掛かることとなるので、保持金具４０Ｂの回転方向に対する強度を高めることができる。
【００５８】
また、本実施形態では、アンカー部４５の壁面（外壁面４５ｂ、内壁面４５ｃ）にソケットハウジング２１内の樹脂が係合する係合部５０を設けるようにしている。そのため、保持金具４０Ｂがソケットハウジング２１から外れてしまうのをさらに抑制することができ、保持金具４０Ｂの外れによってソケットハウジング２１の周壁部２６が破損してしまうのをより防止できる。
【００５９】
また、本実施形態では、係合部５０がアンカー部４５の外壁面４５ｂと内壁面４５ｃとを貫通する貫通穴５０ａとして形成されている。そのため、ソケットハウジング２１内の樹脂をアンカー部４５の外壁面４５ｂ側と内壁面４５ｃ側とで連通させることができるようになる。これにより、係合部５０と樹脂との係合強度を高めることができ、保持金具４０Ｂの外れをより一層抑制できる。
【００６０】
さらにまた、本実施形態では、アンカー部４５が、側板部４１からソケット２の長手方向Ｙと沿うように延設されている。そのため、係合部５０としての貫通穴５０ａを側板部４１が倒れる（外れる）方向となる長手方向Ｙと直交する幅方向Ｘに形成することができるので、保持金具４０Ｂが屈曲部４３を支点として回動してしまうのをより一層抑制することができる。
【００６１】
また、図９および図１０に示すように、本実施形態では、保持金具４０Ｂをソケットハウジング２１にインサート成形させる際に、側板部４１の天面４１ａがソケットハウジング２１の上端面２１ａに沿って露出しないようにしている。そのため、作業者が側板部４１の天面４１ａを手指などで掴み持つことを抑制でき、これに伴い作業者が側板部４１を押し倒して保持金具４０Ｂを回動させてしまうリスクを減らすことができる。
［第４実施形態］
図１２および図１３は、本発明の第４実施形態を示した図であり、上記第１〜第３実施形態と同一構成部分に同一符号を付して重複する説明を省略して述べるものとする。
【００６２】
本実施形態の保持金具４０Ｃが上記第３実施形態と主に異なる点は、第１の爪部４８ａと第２の爪部４７ａとを接触させて設け、これら第１の爪部４８ａと第２の爪部４７ａとを係止させるようにしたことにある。
【００６３】
以上の構成により、本実施形態の保持金具４０Ｃによれば、上記第１実施形態と同様の作用効果を奏することができる。
【００６４】
すなわち、本実施形態によれば、外力等が入力されたとしても、ソケットハウジング２１からより外れにくくすることの可能な保持金具４０Ｃならびに当該保持金具４０Ｃを用いたソケット２（コネクタ接続体）およびコネクタ１を得ることができる。
【００６５】
また、本実施形態では、第１の爪部４８ａと第２の爪部４７ａとを接触させて設け、これら第１の爪部４８ａと第２の爪部４７ａとを係止させるようにしている。そのため、保持金具４０Ｃの部材同士を係止させることができるので、回転方向に対する保持金具４０Ｃの強度をさらに高めて、保持金具４０Ｃをソケットハウジング２１からより一層外れ難くすることができる。
【００６６】
以上、本発明の好適な実施形態について説明したが、本発明は上記実施形態には限定されず、種々の変形が可能である。
【００６７】
例えば、上記実施形態では本発明にかかるコネクタ接続体をソケットとして具現化した場合について説明したが、ヘッダとしても具現化できることは言うまでもない。
【００６８】
また、コネクタ接続体のハウジングや、コンタクト、ポスト等の形状、大きさ、材質等のスペックも、適宜に変更可能である。
【００６９】
また、上記第３および第４実施形態では、引っ掛かり部をアンカー部から下方に向けて折曲形成したが、引っ掛かり部をアンカー部から上方に向けて折曲形成するようにしてもよい。この場合にあっても、引っ掛かり部にアンカー部と略平行に延設される第１の爪部を設けることができる。また、これ対して例えば係止片部をアンカー部の先端側から回り込むように折曲形成されるようにし、この係止片部の先端側であって第１の爪部を高さ方向で越す位置に第２の爪部を設けることで、保持金具の回転方向の動作を規制することができる。
【００７０】
また、上記第３および第４実施形態では、係合部としてアンカー部を貫通する貫通穴を設けるようにしたが、これに限定されず、例えばアンカー部の壁面（外壁面、内壁面）に係合部として凹部や凸部を設けるようにしてもよい。また、これらの係合部は、一対のアンカー部にそれぞれ複数（２つ以上ずつ）設けるようにしてもよい。
【００７１】
また、上記第３および第４実施形態では、保持金具のアンカー部をソケットハウジングの長手方向両端部のそれぞれの周壁部に露出させるようにしたが、図１４および図１５に示す変形例のように、露出させないようにしてもよい。
【符号の説明】
【００７２】
１      コネクタ
２      ソケット（一方のコネクタ接続体）
３      ヘッダ（他方のコネクタ接続体）
２１    ソケットハウジング（ハウジング）
２１ａ  外壁天面
２１ｂ  外壁側面
２１ｃ  外壁下面
４０    保持金具
４０Ａ  保持金具
４１    側板部（本体部）
４２    底板部（本体部）
４２ａ  取付片部
４５    アンカー部
４５Ａ  アンカー部
４７    係止片部
４８    引っ掛かり部
Ｚ      上下方向（高さ方向）
【図１】
2015130363.tif 000003
【図２】
2015130363.tif 000004
【図３】
2015130363.tif 000005
【図４】
2015130363.tif 000006
【図５】
2015130363.tif 000007
【図６】
2015130363.tif 000008
【図７】
2015130363.tif 000009
【図８】
2015130363.tif 000010
【図９】
2015130363.tif 000011
【図１０】
2015130363.tif 000012
【図１１】
2015130363.tif 000013
【図１２】
2015130363.tif 000014
【図１３】
2015130363.tif 000015
【図１４】
2015130363.tif 000016
【図１５】
2015130363.tif 000017